(57)【要約】【課題】  一つの餌の下端部と上端部を、連結された二つの釣り針の各針先に挿通できる、取扱い易い釣り針を提供すること。【解決手段】  針基部１の後端部に鋭利な後端針先４を形成するとともに、その後端部に針先貫通孔５を設ける。【選択図】        図１
0003171927.tif 000002
【実用新案登録請求の範囲】
【請求項１】
針基部(1)の先端側にＵ字状部(2)を介して、先端針先(3)が形成された釣り針において、
その針基部(1)の後端部に、その後端に向かって鋭利な後端針先(4)が一体に設けられ、
その後端部に針先貫通孔(5)が設けられ、
その針基部(1)にその後端針先(4)から餌(6)の少なくとも一部を貫通できると共に、
その後に、後端に釣り糸(7)が係止された他の釣り針(8) のＵ字状部(8a)がその針先から前記針先貫通孔(5)に、係脱自在に係止すると共に、上記餌(6)の上部を突き刺すことができるように構成された釣り針。
【請求項２】
請求項１に記載の釣り針において、
その針先貫通孔(5)の後端側に返し部用挿通部(9)を有し、
前記他の釣り針(8) の先端返し部(10)が、その返し部用挿通部(9)を通過できるように形成された釣り針。
【考案の詳細な説明】
【技術分野】
【０００１】
本考案は、複数の釣り針が、釣り糸を介さずに直列に連結され、一つの餌の上部と下部の二箇所に針を係止させることができる、取扱い易い釣り針に関する。
【背景技術】
【０００２】
一例として、太刀魚釣りの仕掛けは、サバやイカを細長い短冊状の切り身（餌）にし、針先からその餌を貫通し、魚がその餌と釣り針の針先との両方を呑みこむのを待って、その魚を釣り上げていた。
【考案の概要】
【考案が解決しようとする課題】
【０００３】
従来の釣り針による方法では、たびたび餌の下半分だけが食べられてしまい、餌の上部のみが残ることが多かった。その場合、餌に針先が存在しないため、釣果を得ることができなかった。
そこで本考案は、餌の下部を魚に食べられても、上部のみでも釣果を得ることができる新たな釣り針を提供するとともに、その餌の取り付けが容易で、取扱易いものを提供することを課題とする。
【課題を解決するための手段】
【０００４】
請求項１に記載の本考案は、針基部(1)の先端側にＵ字状部(2)を介して、先端針先(3)が形成された釣り針において、
その針基部(1)の後端部に、その後端に向かって鋭利な後端針先(4)が一体に設けられ、
その後端部に針先貫通孔(5)が設けられ、
その針基部(1)にその後端針先(4)から餌(6)の少なくとも一部を貫通できると共に、
その後に、後端に釣り糸(7)が係止された他の釣り針(8) のＵ字状部(8a)がその針先から前記針先貫通孔(5)に、係脱自在に係止すると共に、上記餌(6)の上部を突き刺すことができるように構成された釣り針である。
【０００５】
請求項２に記載の本考案は、請求項１に記載の釣り針において、
その針先貫通孔(5)の後端側に返し部用挿通部(9)を有し、
前記他の釣り針(8) の先端返し部(10)が、その返し部用挿通部(9)を通過できるように形成された釣り針である。
【考案の効果】
【０００６】
本考案の釣り針は、その後端針先４の存在により、そこから餌６を貫通できるので、餌６の取付が極めて容易となる。さらに、その後端部には針先貫通孔５が設けられ、そこに他の釣り針８のＵ字状部8aを係脱自在に係止できるように構成したから、餌６の上端部をその上側の他の釣り針８に容易に係止することができる。それにより、一つの餌６によって下側の釣り針11の先端針先３又は、上側の他の釣り針８の針先のいずれか又は、両者で魚を釣ることができ、釣果をあげることができる。そして、本考案の釣り針は、餌６の下端部が魚によって食いちぎられても、餌の上端部と上側の他の釣り針８が存在する限り、そのまま、釣りを継続することができる。逆の場合も同様であり、餌の下端部と下側の釣り針11とで釣りを継続できる。
さらには、餌６を上下の釣り針8,11で保持しているので、その餌が抜け難い長所を有する。
【０００７】
上記構成において、請求項２に記載のように、針先貫通孔(5)の後端側に返し部用挿通部９を設けた場合には、そこから上側の釣り針８の針先の先端返し部を通過することができるとともに、下側の釣り針11が上側の他の釣り針８から外れ難いものとなる。
【図面の簡単な説明】
【０００８】
【図１】本考案の第１実施例の説明図。
【図２】図１のII-II矢視図。
【図３】図２のIII-III矢視図。
【図４】本考案の釣り針11に切身状の餌６を取り付ける説明図。
【図５】同釣り針11に他の釣り針８を係止するとともに、その針先に同一の餌６を係止する説明図。
【図６】同餌６が魚の場合の説明図。
【図７】同餌６がイカの場合の説明図。
【図８】本考案の第２実施例の要部説明図。
【図９】図８のIX-IX矢視説明図。
【図１０】図９のＸ-Ｘ矢視図。
【図１１】本考案の第３実施例の後端針先４の針先貫通孔５を示す説明図。
【考案を実施するための形態】
【０００９】
次に図面に基づいて、本考案の実施の形態につき説明する。
【００１０】
図１〜図７は、本考案の各実施例を示す説明図であり、各図において符号11が本考案の釣り針であり、符号８は従来の釣り針である。
この考案の釣り針11は、針基部１の先端側にＵ字状部２を介して先端針先３が形成され、その先端針先３には先端返し部10が設けられている。針基部１の後端部には、その突端に向かって鋭利な後端針先４が一体に形成されている。その後端針先４は、平面側が平坦な先細りに形成され、さらに側面側が先端に向かい鋭利に形成されている。そして、その平坦部分に針先貫通孔５が設けられている。
【００１１】
この針先貫通孔５は、上側の他の釣り針８のＵ字状部8aを挿通するものである。この例では、針先貫通孔５の上端部に返し部用挿通部９が設けられている。この返し部用挿通部９は、上側の他の釣り針８の先端返し部10とともに、その先端部を針先貫通孔５に挿通できるように上側に向けて三角形に開口されている。即ち、上側の他の釣り針８の針先は、その軸部分と、先端返し部10とを有する。そこで、先端返し部10が挿通できる返し部用挿通部９を針先貫通孔５の上端側に設けたものである。
【００１２】
この先端返し部10の形状は各種存在し、図９のごとく幅方向に拡がるものが存在する。
この場合には、同図のように、それに応じて針先貫通孔５の形状を変形させる必要がある。また図１１の針先貫通孔５は、上下方向に長い菱形または瞳型であり、この場合には他の釣り針８を図８の状態から90度回転させ、その状態で先端返し部10を挿入するように形成されている。
【００１３】
（作用）
このようにしてなる本考案の釣り針11は、図４のごとく、一例としてイカやサバを細長く短冊状の切身にした餌６を、釣り針11の後端針先４側から挿通する。次いで、図５のごとく、通常の上側の他の釣り針８の先端部を、下側の釣り針11の針先貫通孔５に挿通し、その針先を餌６の上部に貫通させる。このようにすることにより、餌６の下部は釣り針11の先端針先３によって保持され、上部は通常の他の釣り針８の先端針先によって保持される。これにより、魚が下部に食いついても、上部に食いついても、いずれかの針先にかかることになる。また、餌の一部を食いちぎられても、他方の部分が残存するので、釣りを継続することができる。
【００１４】
次に図６は、鰯等の比較的小さな魚を、先ず下側の釣り針11に、その後端針先４から突き刺し、次いで、上側の他の釣り針８を針先貫通孔５に挿通するとともに、その針先を餌６の頭部に貫通させたものである。餌６の魚は図６の場合と逆にしてもよい。
次に図７は、餌６として、イカを上側の他の釣り針８および下側の釣り針11にそれぞれ貫通させたものである。
【００１５】
いずれの実施例も、下側の釣り針11にはその針先貫通孔５に、返し部用挿通部９を有し、上側の他の釣り針８の先端返し部10がそれを貫通するため、両釣り針11，８とが分離し難い構造になっている。即ち、上側の釣り針８の針先が下側の釣り針11の針先貫通孔５から抜け出ようとするとき、その先端返し部10が針先貫通孔５に引っ掛かり、抜け出にくい構造となっている。両者を分離すには、針先の先端返し部10を、返し部用挿通部９に整合させつつ、取外すこととなる。通常の状態では、両者が外れることはほとんどない。更に、餌が下側の釣り針11と上側の他の釣り針８との両者に係止されるので、それによっても両釣り針が分離することを防止できる。
【符号の説明】
【００１６】
１  針基部
２  Ｕ字状部
３  先端針先
４  後端針先
５  針先貫通孔
６  餌
【００１７】
７  釣り糸
８  他の釣り針
8a  Ｕ字状部
９  返し部用挿通部
10  先端返し部
11  釣り針
【図１】
0003171927.tif 000003
【図２】
0003171927.tif 000004
【図３】
0003171927.tif 000005
【図４】
0003171927.tif 000006
【図５】
0003171927.tif 000007
【図６】
0003171927.tif 000008
【図７】
0003171927.tif 000009
【図８】
0003171927.tif 000010
【図９】
0003171927.tif 000011
【図１０】
0003171927.tif 000012
【図１１】
0003171927.tif 000013